(57)【要約】【課題】不正をより有効に防止することの可能な遊技機を提供する。【解決手段】パチンコ機１は、外枠２と、該外枠２の前部に設けられ外枠２の一側部にて開閉可能に支持された前面枠３とを備えている。前面枠３の前面側には、遊技球Ｂの発射部よりも上方においてガラス扉枠４が設けられている。前面枠３の後部には、遊技盤５が着脱可能に装着されている。ガラス扉枠４の下方には、遊技球Ｂを貯留するための上皿６の一体形成された前飾り枠９が設けられている。また、前面枠３の前面下部には、左右方向ほぼ中央部において下皿７が設けられている。ガラス扉枠４が第１の扉体及び第２の扉体により構成され、両扉体の閉鎖状態にあって、外部から遊技盤５への異物の侵入を規制するための侵入規制手段が設けられている。【選択図】　　　　　図１
2004008333.tif 000002
【特許請求の範囲】
【請求項１】
遊技者の利益を左右する遊技部材の前面側において開閉可能に支持された第１の扉体と、該第１の扉体よりも前面側において開閉可能に支持された第２の扉体とを備えた遊技機であって、
前記両扉体の閉鎖状態にあって、外部から前記遊技部材への異物の侵入を規制するための侵入規制手段を設けたことを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、遊技機の一種として、遊技盤面上における遊技球の挙動に起因して種々の遊技状態が導出されるパチンコ機が知られている。このようなパチンコ機は、外枠と、その前部に設けられた前面枠とを備えている。前面枠は外枠の一側部にて開閉可能に支持されている。前面枠の前面側には、その一側部にてガラス扉枠が開閉可能に設けられている。また、前面枠には、前記ガラス扉枠の奥側において、遊技盤が着脱可能に装着されており、発射された遊技球は遊技盤の上部に向けて案内され、遊技盤に沿って流下する。そして、遊技盤に設けられた入賞口等に遊技球が入賞することで、遊技者に景品球が払い出される。
【０００３】
ところで、近年、ガラス扉枠に関し、様々な装飾や各種装置の搭載等が施されるようになってきており、重量が著しく増大する傾向にある。この点、前記ガラス扉枠を、板状のガラス及びガラスを支持するガラス支持枠と、その前面側に位置し開口を有する装飾枠とに分離することが考えられる。このように従来一体的に構成されていたガラス扉枠を前後に分離することで、荷重が分散され、支持する側の負荷が軽減される等のメリットがある。
【０００４】
しかしながら、上記のような構成とした場合、ガラス支持枠と装飾枠との間に所定の隙間が形成されてしまうおそれがある。かかる隙間が存在すると、外部から針金等の治具が不正に侵入されられ、普段は閉状態に維持されている入賞装置等が不正に開放されてしまうおそれがある。
【０００５】
本発明は、上述した問題に鑑みてなされたものであって、その目的は、不正をより有効に防止することの可能な遊技機を提供することにある。
【０００６】
【課題を解決するための手段及び発明の効果】
上記の目的を達成するために有効な手段を以下に示す。なお、必要に応じてその作用効果等についても説明する。
【０００７】
手段１．遊技者の利益を左右する遊技部材の前面側において開閉可能に支持された第１の扉体と、該第１の扉体よりも前面側において開閉可能に支持された第２の扉体とを備えた遊技機であって、
前記両扉体の閉鎖状態にあって、外部から前記遊技部材への異物の侵入を規制するための侵入規制手段を設けたことを特徴とする遊技機。
【０００８】
手段１によれば、遊技部材の前面側において開閉可能に支持された扉体を第１及び第２の扉体により構成することで、支持する側の重量負担軽減等が図られる。一方で、第１の扉枠及び第２の扉枠との間に生じる隙間より、針金等の異物を侵入させることによる不正行為が懸念されるところ、上記手段では、侵入規制手段が設けられている。このため、両扉体の閉鎖状態にあって、外部から遊技部材への異物の侵入が規制される。従って、そのような不正行為を効果的に防止できる。
【０００９】
手段２．遊技者の利益を左右する遊技部材の前面側において開閉可能に支持され、少なくとも閉状態にあっては前記遊技部材の外部からの視認を許容しうる扉枠を備えた遊技機であって、
前記扉体を、第１の扉体と、該第１の扉体よりも前面側において開閉可能に支持された第２の扉体とに分離して構成し、
前記両扉体の閉鎖状態にあって、外部から前記遊技部材への異物の侵入を規制するための侵入規制手段を設けたことを特徴とする遊技機。
【００１０】
手段２によれば、遊技部材の前面側において開閉可能に支持された扉体が第１及び第２の扉体に分離して構成されることで、支持する側の重量負担軽減等が図られる。一方で、第１の扉枠及び第２の扉枠との間に生じる隙間より、針金等の異物を侵入させることによる不正行為が懸念されるところ、上記手段では、侵入規制手段が設けられている。このため、両扉体の閉鎖状態にあって、外部から遊技部材への異物の侵入が規制される。従って、そのような不正行為を効果的に防止できる。
【００１１】
手段３．前記遊技部材は、特定条件が満たされた場合に開放が許容される可変入賞装置を備えた遊技盤であることを特徴とする手段１又は２に記載の遊技機。
【００１２】
手段３によれば、遊技盤に備えられた可変入賞装置が異物を用いて開放されてしまうといった不正行為が効果的に防止される。
【００１３】
手段４．前記侵入規制手段は、前記第１又は第２の扉体のうち少なくとも一方の扉体に設けられ、他方の扉体側に向かって延びる凸状部材であることを特徴とする手段１乃至３のいずれかに記載の遊技機。
【００１４】
手段４によれば、第１又は第２の扉体のうち少なくとも一方の扉体に設けられ、他方の扉体側に向かって延びる凸状部材の存在により、針金等の異物の侵入が効果的に規制される。また、凸状部材を設けることで上記作用効果が奏されることから、構造自体が複雑なものになってしまうといった事態を抑制できる。
【００１５】
手段５．前記凸状部材は、前記遊技部材を囲むようにして環状又は略環状に設けられたリブであることを特徴とする手段４に記載の遊技機。
【００１６】
手段５によれば、遊技部材を囲むようにして環状又は略環状に設けられたリブにより上記作用効果が奏される。ここで、リブが環状又は略環状に設けられていることから、あらゆる方向からの異物の侵入を規制でき、より効果的に不正行為を防止できる。
【００１７】
手段６．前記凸状部材は、前記第１又は第２の扉体のうち少なくとも一方の扉体に一体形成されていることを特徴とする手段４又は５に記載の遊技機。
【００１８】
手段６によれば、凸状部材が一体形成されることから、別途凸状部材を取り付けたりする手間を省くことができる。その結果、製造効率の悪化、コストの増大を抑制できる。
【００１９】
手段７．前記凸状部材は、前記第１又は第２の扉体のうち少なくとも一方の扉体に別体で取付けられていることを特徴とする手段４又は５に記載の遊技機。
【００２０】
手段７によれば、凸状部材が別体で取付けられていることから、例えば凸状部材と取付けられる扉体とが異種素材よりなる場合、リサイクルに供しやすいものとなる。
【００２１】
手段８．前記侵入規制手段は、さらに、少なくとも前記凸状部材の先端部を収容可能とするべく前記凸状部材に対向して設けられた凹部を含んでいることを特徴とする手段４乃至７のいずれかに記載の遊技機。
【００２２】
手段８によれば、凹部に対し、少なくとも凸状部材の先端部が収容されることで、より一層確実に隙間を閉ざすことができ、針金等の異物を侵入させようとする不正行為を一層効果的に防止できる。しかも、構造がさほど複雑なものとはならない。
【００２３】
手段９．前記第１の扉体は、外部から前記遊技部材を視認可能とするための透明部材を有する透明部材支持枠であり、
前記第２の扉体は、前記透明部材支持枠の前面側に設けられ、開口を有する装飾枠であることを特徴とする手段１乃至８のいずれかに記載の遊技機。
【００２４】
手段９によれば、従来一体とされていた扉体が、透明部材支持枠と装飾枠とに分離されることとなり、支持する側（例えば前面枠）にかかる負荷を分散させることができ、場合によっては装飾枠に対し比較的重い別部材等を設置することも可能となる。また、支持構造についても込み入った複雑なものとなりにくい。なお、「前記透明部材は、板状のガラスによって構成されていること」としてもよい。
【００２５】
手段１０．外枠に対し開閉可能に支持された前面枠と、
前記前面枠に装着され、遊技者の利益を左右する遊技盤と
を備えた遊技機であって、
前記遊技盤の前面側において、前記前面枠に対し開閉可能に支持され、外部より前記遊技盤を視認可能とするための透明部材を有する透明部材支持枠と、
前記透明部材支持枠の前面側にて、前記前面枠に対し開閉可能に支持され前記遊技盤の遊技領域の視認を許容するべく開口を有してなる装飾枠と
を具備し、
前記透明部材支持枠及び装飾枠の閉鎖状態にあって、外部から前記遊技盤への異物の侵入を規制するための侵入規制手段を設けたことを特徴とする遊技機。
【００２６】
手段１０によれば、外枠に対し前面枠が開閉可能に支持される。前面枠に装着された遊技盤において遊技者の利益が左右される。かかる遊技機にあって、遊技盤の前面側において、透明部材支持枠が前面枠に対し開閉可能に支持されており、その透明部材を介して外部より遊技盤が視認される。さらに、透明部材支持枠の前面側にて、装飾枠が前面枠に対し開閉可能に支持されており、その開口から遊技盤の遊技領域の視認が許容される。さて、手段１０では、遊技盤の前面側の枠体が透明部材支持枠と装飾枠とに分離されており、従来一体で形成されていた場合に比べて、支持する側の重量負担軽減等が図られる。一方で、透明部材支持枠と装飾枠との間に生じる隙間より、針金等の異物を侵入させることによる不正行為が懸念されるところ、上記手段では、侵入規制手段が設けられている。このため、両枠の閉鎖状態にあって、外部から遊技部材への異物の侵入が規制される。従って、そのような不正行為を効果的に防止できる。
【００２７】
手段１１．外枠に対し開閉可能に支持された前面枠と、
前記前面枠に装着され、遊技者の利益を左右する遊技盤と、
前記遊技盤の前面側において開閉可能に支持された透明部材扉枠と
を備えた遊技機であって、
前記透明部材扉枠は、
前記遊技盤の前面側において、前記前面枠に対し開閉可能に支持され、外部より前記遊技盤を視認可能とするための透明部材を有する透明部材支持枠と、
前記透明部材支持枠の前面側にて、前記前面枠に対し開閉可能に支持され前記遊技盤の遊技領域の視認を許容するべく開口を有してなる装飾枠と
からなり、
前記透明部材支持枠及び装飾枠の閉鎖状態にあって、少なくとも前記透明部材支持枠及び装飾枠間の隙間を閉ざすことで、外部から前記遊技盤への異物の侵入を規制するための侵入規制手段を設けたことを特徴とする遊技機。
【００２８】
手段１１によれば、一体で構成されていた従来の透明部材扉枠と異なり、透明部材扉枠が透明部材支持枠と装飾枠とに分離されているため、支持する側の重量負担軽減等が図られる。一方で、透明部材支持枠と装飾枠との間に生じる隙間より、針金等の異物を侵入させることによる不正行為が懸念されるところ、上記手段では、侵入規制手段が設けられている。この侵入規制手段により、少なくとも前記透明部材支持枠及び装飾枠間の隙間が閉ざされ、両枠の閉鎖状態にあって、外部から遊技部材への異物の侵入が規制される。従って、そのような不正行為を効果的に防止できる。
【００２９】
手段１２．前記侵入規制手段は、前記透明部材支持枠、装飾枠及び前面枠のうち少なくとも１つに設けられ、少なくとも前記透明部材支持枠及び装飾枠間の隙間を閉ざすべく突出する凸状部材を含んでいることを特徴とする手段１０又は１１に記載の遊技機。
【００３０】
手段１２によれば、透明部材支持枠、装飾枠及び前面枠のうち少なくとも１つに設けられ、少なくとも前記透明部材支持枠及び装飾枠間の隙間を閉ざすべく突出する凸状部材により、針金等の異物の侵入が効果的に規制される。また、凸状部材を設けることで上記作用効果が奏されることから、構造自体が複雑なものになってしまうといった事態を抑制できる。
【００３１】
手段１３．前記凸状部材は、前記遊技盤を囲むようにして環状又は略環状に設けられたリブであることを特徴とする手段１２に記載の遊技機。
【００３２】
手段１３によれば、遊技盤を囲むようにして環状又は略環状に設けられたリブにより上記作用効果が奏される。リブが環状又は略環状に設けられていることから、あらゆる方向からの異物の侵入を規制でき、より効果的に不正行為を防止できる。
【００３３】
手段１４．前記遊技盤は特定条件が満たされた場合に開放が許容される可変入賞装置を備えており、前記凸状部材は、少なくとも前記可変入賞装置に最も近い辺に対応して設けられたリブを含んでいることを特徴とする手段１２に記載の遊技機。
【００３４】
手段１４によれば、少なくとも可変入賞装置に最も近い辺に対応して設けられたリブにより、上記作用効果が奏される。従来では、針金等を異物を遊技盤の方へ侵入させ可変入賞装置を開放状態とすることで不正に入賞状態を導出する不正行為が行われていたのであるが、かかる構成を採用することで、可変入賞装置の開放しづらくすることができ、より効果的かつ効率的に不正防止を図ることが可能となる。
【００３５】
手段１５．前記凸状部材は、前記装飾枠の支持辺とは反対側の側部に対応して設けられたリブを含んでいることを特徴とする手段１２又は１４に記載の遊技機。
【００３６】
手段１５によれば、装飾枠の支持辺とは反対側の側部に対応して設けられたリブにより、上記作用効果が奏される。一般に、側部にて開閉可能に支持された装飾枠に関しては、その支持辺よりも、該支持辺とは反対側の側部において隙間が形成されやすい傾向にあるが、かかる構成を採用することで、そのような隙間を閉ざすことができ、より効果的かつ効率的に不正防止を図ることが可能となる。
【００３７】
手段１６．前記凸状部材は、前記透明部材支持枠、装飾枠及び前面枠のうち少なくとも１つに一体形成されていることを特徴とする手段１２乃至１５のいずれかに記載の遊技機。
【００３８】
手段１６によれば、凸状部材が一体形成されることから、別途凸状部材を取り付けたりする手間を省くことができる。その結果、製造効率の悪化、コストの増大を抑制できる。
【００３９】
手段１７．前記凸状部材は、前記透明部材支持枠、装飾枠及び前面枠のうち少なくとも１つに別体で取付けられていることを特徴とする手段１２乃至１５のいずれかに記載の遊技機。
【００４０】
手段１７によれば、凸状部材が別体で取付けられていることから、例えば凸状部材と取付けられる枠とが異種素材よりなる場合、リサイクルに供しやすいものとなる。
【００４１】
手段１８．前記侵入規制手段は、さらに、少なくとも前記凸状部材の先端部を収容可能とするべく前記凸状部材に対向して設けられた凹部を含んでいることを特徴とする手段１２乃至１７のいずれかに記載の遊技機。
【００４２】
手段１８によれば、凹部に対し、少なくとも凸状部材の先端部が収容されることで、より一層確実に隙間を閉ざすことができ、針金等の異物を侵入させようとする不正行為を一層効果的に防止できる。しかも、構造がさほど複雑なものとはならない。
【００４３】
手段１９．手段１乃至１８のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の表示部において変動表示されている識別情報が所定時間後に確定停止表示されることが挙げられる。また、特別遊技状態発生時には遊技領域内の所定の位置に配置された可変入賞装置が所定の態様で開放されて遊技球を入賞可能とし、その入賞個数に応じた有価価値（景品球等のみならず、磁気カードへの書き込み等も含む）が付与されることが挙げられる。
【００４４】
手段２０．手段１乃至１８のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を遊技部材として捉えてもよいし、前記リールとは別途設けられ、前記識別情報に対応する（疑似的な対応であってもよい）識別情報を表示可能な表示装置（例えば液晶表示装置）をここにいう遊技部材として捉えてもよい。
【００４５】
手段２１．手段１乃至１８のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を遊技部材として捉えてもよいし、前記リールとは別途設けられ、前記識別情報に対応する（疑似的な対応であってもよい）識別情報を表示可能な表示装置（例えば液晶表示装置）をここにいう遊技部材して捉えてもよい。
【００４６】
【発明の実施の形態】
以下、パチンコ遊技機（以下、単に「パチンコ機」という）の一実施の形態を、図面に基づいて詳細に説明する。
【００４７】
図１に示すように、パチンコ機１は、外枠２と、該外枠２の前部に設けられ外枠２の一側部にて開閉可能に支持された前面枠３とを備えている。
【００４８】
前面枠３の前面側には、扉体、透明部材扉枠を構成するガラス扉枠４が設けられている。前面枠３の後部（ガラス扉枠４の奥、外枠２の内側）には、遊技部材としての遊技盤５が着脱可能に装着されている。
【００４９】
ガラス扉枠４の下方には、遊技球Ｂを貯留するための上皿６の一体形成された前飾り枠９が設けられている。また、前面枠３の前面下部には、左右方向ほぼ中央部において下皿７が設けられている。下皿７の側部には、遊技球発射用ハンドル８が設けられている。ハンドル８は図示しない遊技球発射装置に連結されており、遊技者がハンドル８を回転させることにより、遊技球Ｂが遊技球発射装置から発射される。
【００５０】
遊技盤５には、ルータ加工が施されることによって複数の開口部が形成されており、各開口部には、普通入賞チャッカー１１、可変入賞装置１２、作動チャッカー１３、可変表示装置１４、スルーチャッカー１５等が配設されている。
【００５１】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００５２】
可変表示装置１４は、液晶表示部２０と、該液晶表示部２０を囲むように設けられたセンターフレーム２１とを備えている。液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００５３】
より詳しくは、可変表示装置１４の下方に設けられた作動チャッカー１３に遊技球Ｂが入賞することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００５４】
また、周知のとおり、前記普通入賞チャッカー１１、可変入賞装置１２、作動チャッカー１３に遊技球Ｂが入賞することに基づいて、上皿６又は下皿７に対し所定数の景品球（遊技球Ｂ）が払い出される。また、遊技盤５には、遊技球Ｂの流下方向を適宜分散、調整等するために多数の釘が植設されているとともに、風車等の各種部材（役物）が配設されている。
【００５５】
次に、本実施の形態の特徴部分であるガラス扉枠４の構成について説明する。図２，３に示すように、本実施の形態では、ガラス扉枠４は、透明部材としてのガラス４１，４２を支持するガラス支持枠３１と、その前面側に位置する装飾枠３２とから構成されている。換言すれば、ガラス扉枠４は、第１の扉体、透明部材支持枠を構成するガラス支持枠３１及び第２の扉体を構成する装飾枠３２に分離されている。
【００５６】
ガラス支持枠３１は、透明部材を構成する前後２枚の板状のガラス４１，４２と、これらガラス４１，４２の周縁を支持するための金属製の支持フレーム４３とを備えている。そして、ガラス支持枠３１は、支持フレーム４３の右側部の上下２カ所の軸支部（図示略）において、前面枠３に対し、開閉可能に支持されている。かかる軸支部の構成については、特に限定されるものではなく、例えば一般に採用されている軸支構造を採用することができる。すなわち、蝶番等で開閉可能に支持することとしてもよいし、支持フレーム４３の上下両端に軸状の係合突部又は係合凹部を設け、それに対応する前面枠３に係合凹部又は軸状の係合突部を設け、両者を係合させることで開閉可能に支持することとしてもよい。
【００５７】
また、ガラス支持枠３１の支持フレーム４３の軸支部とは反対側の側部（閉状態における左端部）及びそれに対応する前面枠３には、ロック機構４４Ａ，４４Ｂがそれぞれ設けられている。該ロック機構４４Ａ，４４Ｂによって、ガラス支持枠３１が閉状態にある場合に、該ガラス支持枠３１が開放不能な状態にロック（施錠）されるようになっている。また、そのロック状態は、キーシリンダ装置４５Ａ，４５Ｂに対する所定のキー操作によって解除されるように構成されている。なお、図では、４５Ａ，４５Ｂによりキーシリンダ装置が構成されているが、図中４５Ｂに相当する部位を開口形状とし、４５Ａの鍵穴に対しキーを差し込むよう構成されていてもよい。
【００５８】
さらに、装飾枠３２は、その中央において前記遊技領域にほぼ対応するようにして略円形状の開口部５１が形成されている。かかる開口部５１の存在により、前記ガラス４１，４２を介して遊技盤５等を外部から視認できるようになっている。装飾枠３２は、その前面側において、所定の凹凸加工が施された外装部材５２が取着されている。本実施の形態において、前記外装部材５２は、前記開口部５１の下部を除く周縁を囲むようにして設けられ、例えば透明性を有する樹脂材料により構成されている。
【００５９】
かかる装飾枠３２は、その左側部の上下２カ所の軸支部において、前面枠３に対し、開閉可能に支持されている。かかる軸支部の構成についても特に限定されるものではなく、例えば一般に採用されている軸支構造を採用することができる。
【００６０】
また、装飾枠３２の軸支部とは反対側の側部（閉状態における左端部）及びそれに対応する前面枠３には、ロック機構５３（前面枠３側のロック機構については図示略）がそれぞれ設けられている。該ロック機構５３によって、装飾枠３２が閉状態にある場合に、該装飾枠３２が開放不能な状態にロックされるようになっている。さらに、装飾枠３２の軸支部とは反対側の側部中央には切欠き５４が形成されている。そして、前記ロック状態は、該切欠き５４に対応して前面枠３に設けられたキーシリンダ５５に対する所定のキー操作によって解除されるように構成されている。なお、本実施の形態では、前記キーシリンダ５５は、外枠２に対する前面枠３のロック状態を解除するための鍵部をも兼用している。すなわち、前記装飾枠３２のロック状態を解除するためのキー操作とは異なるキー操作（例えば前記装飾枠３２のロック解除に際しては時計方向への回動操作であるのに対し、前面枠３のロック解除に際しては反時計方向への回動操作）によって解除されるように構成されている。
【００６１】
さらに、図３，４に示すように、前記装飾枠３２の裏面側には、ガラス支持枠３１及び装飾枠３２の閉鎖状態にあって、両者３１，３２間の隙間を閉ざすための侵入規制手段を構成するリブ６１が一体的に形成されている。該リブ６１は、前記遊技盤５の周囲を囲むようにして環状に形成されており、ガラス支持枠３１側（すなわち、後面側）に突出している。また、前面枠３には、前記リブ６１に対向するようにして環状の凹部６２が形成されている。かかる凹部６２も侵入規制手段を構成するものであって、前記装飾枠３２の閉時には、リブ６１の少なくとも先端部分が該凹部６２内に収容されるようになっている。
【００６２】
次に、上記のように構成されてなる本実施の形態の作用及び効果について説明する。
【００６３】
本実施の形態では、ガラス扉枠４の重量が、ガラス支持枠３１及び装飾枠３２にそれぞれ分散されることとなる。従って、１つのガラス扉枠でガラスを支持し、かつ、装飾機能を具備するガラス扉枠を一側にて軸支する必要のあった従来技術とは異なり、ガラス支持枠３１の軸支部及び装飾枠３２の軸支部にかかる負荷を軽減することができる。その結果、特殊な軸支部を採用せずとも済み、従来より存在する軸支構造を採用することができる。また、ガラス扉枠４に対する装飾等の付加に関し、様々なバリエーションを持たせることが可能となる。
【００６４】
また、ガラス支持枠３１と装飾枠３２との間に生じる隙間より、針金等の異物を侵入させることによる不正行為が懸念されるところではあるが、本実施の形態では、上述したような侵入規制手段が設けられている。これにより、ガラス支持枠３１及び装飾枠３２間の隙間が閉ざされ、両枠３１，３２の閉鎖状態にあって、外部から遊技盤５への針金等の異物の侵入が規制される。従って、そのような不正行為を効果的に防止できる。
【００６５】
また、リブ６１や凹部６２を設けるといった比較的簡単な構成でもって上記作用効果が奏されるため、構造上の複雑化を招いてしまうことがない。さらに、リブ６１を装飾枠３２に一体形成することとしたため、別途リブを取り付けたりする手間を省くことができる。その結果、製造効率の悪化、コストの増大を抑制できる。さらに、リブ６１は、遊技盤５を囲むようにして環状に設けられているため、あらゆる方向からの異物の侵入を規制でき、より効果的に不正行為を防止できる。
【００６６】
尚、上述した実施の形態の記載内容に限定されず、例えば次のように実施してもよい。
【００６７】
（ａ）上記実施の形態では、装飾枠３２にリブ６１を設け、前面枠３に凹部６２を形成することとしているが、必ずしもこのような構成に限定されるものではない。例えば、上記構成に代えて、或いは加えて、図５（ａ）に示すように、前面枠３にリブ７１を設けることとしてもよい。また、この場合、同図に示すように、装飾枠３２に対し、リブ７１のうち少なくとも先端部分が収容される凹部７２を設けることとしてもよい。
【００６８】
（ｂ）また、上記構成に代えて、或いは加えて、図５（ｂ）に示すように、ガラス支持枠３１（図では支持フレーム４３）にリブ８１を設けることとしてもよい。さらにこの場合、同図に示すように、装飾枠３２に対し、リブ８１のうち少なくとも先端部分が収容される凹部７２を設けることとしてもよい。さらにまた、図５（ａ）と図５（ｂ）との構成を組み合わせて採用することとしてもよい。
【００６９】
（ｃ）また、図示はしないが、前面枠３、装飾枠３２、ガラス支持枠３１のうち少なくとも１つから、遊技盤５の方へ向かって延びる凸状部材（リブ）を設けることとしてもよい。逆に、遊技盤５から前面枠３、装飾枠３２、ガラス支持枠３１のうち少なくとも１つの方へ向かって延びる凸状部材（リブ）を設けることとしてもよい。かかる構成を採用することで、より一層の不正防止を図ることができる。
【００７０】
（ｄ）上記実施の形態では、環状にリブ６１を設けることとしているが、必ずしも環状でなくてもよい。例えば、上記実施の形態のように可変入賞装置１２が遊技盤５の下部に設けられている場合、当該可変入賞装置１２に最も近い辺（下辺）に対応してリブを設けることとしてもよい。また、これに代えて、或いは加えて、装飾枠３２の支持辺とは反対側の側部（例えば図３の右部）に対応してリブを設けることとしてもよい。一般に、側部にて開閉可能に支持された装飾枠３２に関しては、その支持辺よりも、該支持辺とは反対側の側部において隙間が形成されやすい傾向にあるが、かかる構成を採用することで、そのような隙間を閉ざすことができ、より効果的かつ効率的に不正防止を図ることが可能となる。
【００７１】
（ｅ）上記実施の形態では、リブ６１を装飾枠３２に一体形成することとしているが、１つに別体で取付けることとしてもよい。このように構成した場合において、例えばリブと取付けられる枠とが異種素材よりなる場合、分離してリサイクルに供しやすいものとすることができる。
【００７２】
（ｆ）上記実施の形態では、リブ６１に対向して凹部６２を設けることとしているが、該凹部を省略することとしても差し支えない。
【００７３】
（ｇ）上記実施の形態では、ガラス支持枠３１及び装飾枠３２の軸支部を互いに反対側に設定することとしているが、同じ側で支持されることとしてもよい。
【００７４】
（ｈ）透明部材としての２枚のガラス４１，４２に代えて、１枚のガラスとしてもよいし、３枚以上のガラスとしてもよい。また、ガラス以外にも透明の樹脂板（例えばアクリル樹脂板）等で透明部材を構成してもよい。
【００７５】
（ｉ）上記実施の形態とは異なるタイプのパチンコ機にも適用してもよい。従って、可変表示装置１４のないパチンコ機にも応用できる。また、所謂パチコンと称される遊技機も、ここにいうパチンコ機と同じ概念に含まれるものである。また、本発明は、パチンコ機以外にも雀球、アレンジボール等の遊技機にも応用可能である。さらには、スロットマシン、パチンコ機とスロットマシンとが融合した遊技機等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技媒体はコイン、メダル等が代表例として挙げられる。
【００７６】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【図面の簡単な説明】
【図１】一実施の形態におけるパチンコ機を示す正面図である。
【図２】装飾枠を開いたパチンコ機を斜め上方からみた状態を簡易的に示す斜視図である。
【図３】装飾枠及びガラス支持枠を開いたパチンコ機を斜め上方からみた状態を簡易的に示す斜視図である。
【図４】リブ及び凹部の関係を模式的に説明するための部分断面図である。
【図５】別の実施の形態におけるリブ等の関係を模式的に説明するための部分断面図である。
【符号の説明】
１…遊技機としてのパチンコ機、２…外枠、３…前面枠、４…ガラス扉枠（扉体）、５…遊技盤、３１…第１の扉体、透明部材支持枠を構成するガラス支持枠、３２…第２の扉体を構成する装飾枠、４１，４２…透明部材としてのガラス、４３…支持フレーム、５１…開口部、６１，７１，８１…侵入規制手段を構成するリブ、６２，７２，８２…侵入規制手段を構成する凹部、Ｂ…遊技球。
【図１】
2004008333.tif 000003
【図２】
2004008333.tif 000004
【図３】
2004008333.tif 000005
【図４】
2004008333.tif 000006
【図５】
2004008333.tif 000007